(57)【特許請求の範囲】
【請求項１】
記録紙の表、裏の両面にそれぞれ記録すべき画情報を送信する場合、まず表面の画像全部を送信し、続いて裏面の画像全部を送信する両面連続伝送を行なうファクシミリ装置において、
両面連続伝送実行中に通信エラーが発生した場合、裏面の送信が正しく行なわれた次のページの送信原稿の表面から再送信することを特徴とするファクシミリ装置。
【請求項２】
Ｐ（１）からＰ（ｋ）までのｋ枚の両面原稿を両面連続伝送する際、表面のＰ（ｎ）０を伝送中にエラーが発生した場合は、Ｐ（１）０、つまり表面の第１ページから全て送信し、ページＰ（ｎ）（ｎ≦ｋ）の裏面の伝送中にエラーが発生した場合は、そのエラーが起きたページＰ（ｎ）とその後続の表面側の画像Ｐ（ｎ）０〜Ｐ（ｋ）０を全て送信し、続いてその後、エラーが起きたページＰ（ｎ）とその後続の表面側の裏面の画像Ｐ（ｎ）１〜Ｐ（ｋ）１を送信することを特徴とする請求項１に記載のファクシミリ装置。
【請求項３】
両面連続伝送の際、伝送すべき原稿画像を読取回路により読取り、読取った画像データを画像メモリに格納しつつ両面連続伝送を行ない、前記画像メモリ中の古い画像データから順次消去し、通信エラーが発生した場合、再送信すべき情報が、前記画像メモリに格納されていなければ、その原稿情報から再セットして送信することをオペレータに指示することを特徴とする請求項１に記載のファクシミリ装置。
【請求項４】
Ｐ（１）からＰ（ｋ）までのｋ枚の両面原稿を両面連続伝送する際、送信原稿の表面のページＰ（ｎ）０を送信中に通信エラーが発生した場合は、「この原稿の表面の１ページから送信し、続いて裏面の１ページ目から送信してください」と表示し、また、送信原稿の裏面Ｐ（ｎ）１を送信中の通信エラー時は、「この原稿の表面の（ｎ）ページから送信し、続いて裏面の（ｎ）ページ目から送信してください」と表示することを特徴とする請求項２または請求項３に記載のファクシミリ装置。
【請求項５】
記録紙の表、裏の両面にそれぞれ記録すべき画情報を送信する場合、まず表面の画像全部を送信し、続いて裏面の画像全部を送信する両面連続伝送を行なうファクシミリ装置の制御方法において、
両面連続伝送実行中に通信エラーが発生した場合、裏面の送信が正しく行なわれた次のページの送信原稿の表面から再送信することを特徴とするファクシミリ装置の制御方法。
【請求項６】
Ｐ（１）からＰ（ｋ）までのｋ枚の両面原稿を両面連続伝送する際、表面のＰ（ｎ）０を伝送中にエラーが発生した場合は、Ｐ（１）０、つまり表面の第１ページから全て送信し、ページＰ（ｎ）（ｎ≦ｋ）の裏面の伝送中にエラーが発生した場合は、そのエラーが起きたページＰ（ｎ）とその後続の表面側の画像Ｐ（ｎ）０〜Ｐ（ｋ）０を全て送信し、続いてその後、エラーが起きたページＰ（ｎ）とその後続の表面側の裏面の画像Ｐ（ｎ）１〜Ｐ（ｋ）１を送信することを特徴とする請求項５に記載のファクシミリ装置の制御方法。
【請求項７】
両面連続伝送の際、伝送すべき原稿画像を読取回路により読取り、読取った画像データを画像メモリに格納しつつ両面連続伝送を行ない、前記画像メモリ中の古い画像データから順次消去し、通信エラーが発生した場合、再送信すべき情報が、前記画像メモリに格納されていなければ、その原稿情報から再セットして送信することをオペレータに指示することを特徴とする請求項５に記載のファクシミリ装置の制御方法。
【請求項８】
Ｐ（１）からＰ（ｋ）までのｋ枚の両面原稿を両面連続伝送する際、送信原稿の表面のページＰ（ｎ）０を送信中に通信エラーが発生した場合は、「この原稿の表面の１ページから送信し、続いて裏面の１ページ目から送信してください」と表示し、また、送信原稿の裏面Ｐ（ｎ）１を送信中の通信エラー時は、「この原稿の表面の（ｎ）ページから送信し、続いて裏面の（ｎ）ページ目から送信してください」と表示することを特徴とする請求項６または請求項７に記載のファクシミリ装置の制御方法。
【請求項９】
記録紙の表、裏の両面にそれぞれ記録すべき画情報を送信する場合、まず表面の画像全部を送信し、続いて裏面の画像全部を送信する両面連続伝送を行なうファクシミリ装置の制御プログラムを格納したコンピュータ読取可能な記憶媒体において、
両面連続伝送実行中に通信エラーが発生した場合、裏面の送信が正しく行なわれた次のページの送信原稿の表面から再送信するための制御手順を格納したことを特徴とするファクシミリ装置の制御プログラムを格納したコンピュータ読取可能な記憶媒体。
【請求項１０】
Ｐ（１）からＰ（ｋ）までのｋ枚の両面原稿を両面連続伝送する際、表面のＰ（ｎ）０を伝送中にエラーが発生した場合は、Ｐ（１）０、つまり表面の第１ページから全て送信し、ページＰ（ｎ）（ｎ≦ｋ）の裏面の伝送中にエラーが発生した場合は、そのエラーが起きたページＰ（ｎ）とその後続の表面側の画像Ｐ（ｎ）０〜Ｐ（ｋ）０を全て送信し、続いてその後、エラーが起きたページＰ（ｎ）とその後続の表面側の裏面の画像Ｐ（ｎ）１〜Ｐ（ｋ）１を送信するための制御手順を格納したことを特徴とする請求項９に記載のファクシミリ装置の制御プログラムを格納したコンピュータ読取可能な記憶媒体。
【請求項１１】
両面連続伝送の際、伝送すべき原稿画像を読取回路により読取り、読取った画像データを画像メモリに格納しつつ両面連続伝送を行ない、前記画像メモリ中の古い画像データから順次消去し、通信エラーが発生した場合、再送信すべき情報が、前記画像メモリに格納されていなければ、その原稿情報から再セットして送信することをオペレータに指示するための制御手順を格納したことを特徴とする請求項９に記載のファクシミリ装置の制御プログラムを格納したコンピュータ読取可能な記憶媒体。
【請求項１２】
Ｐ（１）からＰ（ｋ）までのｋ枚の両面原稿を両面連続伝送する際、送信原稿の表面のページＰ（ｎ）０を送信中に通信エラーが発生した場合は、「この原稿の表面の１ページから送信し、続いて裏面の１ページ目から送信してください」と表示し、また、送信原稿の裏面Ｐ（ｎ）１を送信中の通信エラー時は、「この原稿の表面の（ｎ）ページから送信し、続いて裏面の（ｎ）ページ目から送信してください」と表示するための制御手順を格納したことを特徴とする請求項１０または請求項１１に記載のファクシミリ装置の制御プログラムを格納したコンピュータ読取可能な記憶媒体。
【発明の詳細な説明】
【０００１】
【発明の属する技術分野】
本発明は、記録紙の表、裏の両面にそれぞれ記録すべき画情報を送信する場合、まず表面の画像全部を送信し、続いて裏面の画像全部を送信する両面連続伝送を行なうファクシミリ装置、その制御方法、およびその制御プログラムを格納したコンピュータ読取可能な記憶媒体に関するものである。
【０００２】
【従来の技術】
従来のファクシミリ装置においては、通信途中に通信エラーとなった場合に、一度回線を切断した後、通信エラーになった原稿からの再送信、あるいは、原稿の１ページ目からの再送信を行なうものが知られている。
【０００３】
また、上記のようなエラー時の再送信をどのように行なうか（あるいは行なわないか）は、ユーザーがファクシミリ装置に、例えば、ソフトウェアスイッチとして登録できるようにしておき、ユーザーの選択に応じて決定できるようにした装置も知られている。
【０００４】
【発明が解決しようとする課題】
ところで、旧来の片面伝送に加え、近年になって原稿の両面の画像を読み取り、伝送可能なファクシミリ装置が提案されている。
【０００５】
両面伝送の方法としては、まず１ページ目の表面、１ページ目の裏面、２ページの表面、２ページの裏面…の順で伝送する交互伝送(ａｌｔｅｒｎａｔｅ)モードが提案されている。
【０００６】
このような表裏面の両面交互伝送を行なうためには、読取および伝送タイミングの関係で、表面に続き裏面を読み取る必要があり、原稿の両面に光学センサを配置するか、原稿を裏返すような機構を設けるなどの措置が必要となり、装置が機構的に大幅にコストアップになるという欠点があった。
【０００７】
この点に鑑み、簡易的に安価なコストで両面伝送を実現する方法として、両面連続伝送(ｃｏｎｔｉｎｕｏｕｓ)モードが提案されている。この両面連続伝送モードにおいては、まず、原稿の表面の読取をし、その後、裏面の読取を行ない、画像データの伝送順も、まず、全ての表面の画像データを送信し、続いて全ての裏面の画像データを送信する。
【０００８】
しかし、このような両面連続伝送(ｃｏｎｔｉｎｕｏｕｓ)モードを実行中通信エラーとなった場合の再送信については、単に各面の画像を従来の片面の画像と同じようにＥＣＭ（エラー訂正モード）により送受信する以外には、適当な方式が存在しない。
【０００９】
そこで本発明の課題は、記録紙の表、裏の両面にそれぞれ記録すべき画情報を送受信する場合に、エラー発生時に用いることができる適切な再送信のしくみを提供することにある。
【００１０】
【課題を解決するための手段】
上記の課題を解決するため、本発明によれば、記録紙の表、裏の両面にそれぞれ記録すべき画情報を送信する場合、まず表面の画像全部を送信し、続いて裏面の画像全部を送信する両面連続伝送を行なうファクシミリ装置、その制御方法、およびその制御プログラムを格納したコンピュータ読取可能な記憶媒体において、両面連続伝送実行中に通信エラーが発生した場合、裏面の送信が正しく行なわれた次のページの送信原稿の表面から再送信する構成を採用した。
【００１１】
あるいはさらに、Ｐ（１）からＰ（ｋ）までのｋ枚の両面原稿を両面連続伝送する際、表面のＰ（ｎ）０を伝送中にエラーが発生した場合は、Ｐ（１）０、つまり表面の第１ページから全て送信し、ページＰ（ｎ）（ｎ≦ｋ）の裏面の伝送中にエラーが発生した場合は、そのエラーが起きたページＰ（ｎ）とその後続の表面側の画像Ｐ（ｎ）０〜Ｐ（ｋ）０を全て送信し、続いてその後、エラーが起きたページＰ（ｎ）とその後続の表面側の裏面の画像Ｐ（ｎ）１〜Ｐ（ｋ）１を送信する構成を採用した。
【００１２】
あるいはさらに、両面連続伝送の際、伝送すべき原稿画像を読取回路により送信画像を読取り、読取った画像データを画像メモリに格納しつつ両面連続伝送を行ない、前記画像メモリ中の古い画像データから順次消去し、通信エラーが発生した場合、再送信すべき情報が、前記画像メモリに格納されていなければ、その原稿情報から再セットして送信することをオペレータに指示する構成を採用した。
【００１３】
あるいはさらに、Ｐ（１）からＰ（ｋ）までのｋ枚の両面原稿を両面連続伝送する際、送信原稿の表面のページＰ（ｎ）０を送信中に通信エラーが発生した場合は、「この原稿の表面の１ページから送信し、続いて裏面の１ページ目から送信してください」と表示し、また、送信原稿の裏面Ｐ（ｎ）１を送信中の通信エラー時は、「この原稿の表面の（ｎ）ページから送信し、続いて裏面の（ｎ）ページ目から送信してください」と表示する構成を採用した。
【００１４】
【発明の実施の形態】
以下、図を参照して本発明の実施の形態を説明する。
【００１５】
図１に本発明を採用したファクシミリ装置のハードウェア構成を示す。
【００１６】
図１において、符号２は、ＮＣＵ（網制御装置）で、電話網をデータ通信等に使用するためにその回線の端末に接続し、電話交換網の接続制御を行なったり、データ通信路への切り替えを行なったり、ループの保持を行なうものである。また、ＮＣＵ２は、バス３０からの制御により、電話回線２ａを電話機４側に接続（ＣＭＬオフ）したり、電話回線２ａをファクシミリ装置側に接続（ＣＭＬオン）するものである。なお、通常状態では、電話回線２ａは電話機４側に接続されている。
【００１７】
符号６は、ハイブリッド回路で、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で、変復調器８に送るものである。
【００１８】
符号８は、変復調器であり、ＩＴＵ−Ｔ勧告Ｖ．８，Ｖ．２１，Ｖ．２７ｔｅｒ，Ｖ．２９，Ｖ．１７，Ｖ．３４に基づいた変調及び復調を行なう変復調器であり、バス３０の制御により、各伝送モードが指定される。変復調機８はバス３０からの送信信号を入力し、変調データを信号線８ａに出力し、信号線６ａに出力されている受信信号を入力し、復調データをバス３０に出力する。
【００１９】
符号１０は、ＡＮＳａｍ信号を送出する回路であり、バス３０からの信号により、ＡＮＳａｍ信号を送出するか否かを決定する。
【００２０】
符号１２は、加算回路であり、信号線８ａの情報と信号線１０ａの情報と、信号線２０ａの情報を入力し、加算した結果を信号線１２ａに出力する。
【００２１】
符号１４、１６は画像読取および記録系を示すが、両面伝送に対応するために、原稿の表裏両面の読取り、および記録紙の表裏両面への記録を行なえるようになっている。
【００２２】
まず符号１４は、原稿搬送系、光学読み取り素子などから成る読取回路である。読取回路１４は、バス３０からの制御により表面の読取り、裏面の読取りを行なうことができ、読取りデータはバス３０に出力する。
【００２３】
符号１６は、電子写真方式、インクジェット方式などの各種の記録方式により構成された画像データ記録のための記録回路であり、バス３０に出力されている情報を順次１ライン毎に記録する。記録回路１６は、バス３０からの制御により、表面への記録、裏面への記録を実行する。なお、本明細書では、一貫して記録回路１６により記録を受ける媒体を指すものとして「記録紙」との用語を用いるが、この「記録紙」の材質は必ずしも文字通り「紙」である必要はなく、プラスチックシートなどの他の材質であってよいのはいうまでもない。
【００２４】
符号１８はメモリ回路であり、ＲＯＭ、ＲＡＭ、あるいはハードディスクなどの任意の記憶装置から構成され、種々のデータの記憶に用いられる。メモリ回路１８は、たとえば、ワーク用のメモリ、さらに読取りデータの生情報、あるいは符号化した情報の格納、受信情報、あるいは復号化した情報等を格納するために用いられる。
【００２５】
符号２０は、発呼回路であり、バス３０を介して、電話番号情報を入力し、信号線２０ａにＤＴＭＦ（多周波ダイヤルトーン）フォーマットの選択信号を出力する。
【００２６】
符号２２は、両面伝送選択ボタンであり、ユーザは両面伝送を選択する時に、この選択ボタン２２を押下し、選択ボタン２２が押下されると信号線２２ａに押下パルスが発生する。
【００２７】
符号２４は、両面伝送選択表示回路であり、バス３０にクリアパルスが発生すると、「両面伝送をしない」の表示内容となり、以後、選択ボタン２２により信号線２２ａに押下パルスが発生する毎に表示内容が「両面伝送する」→「両面伝送しない」→「両面伝送する」…を繰り返す。また、両面伝送選択表示回路２４は、両面伝送表示を行なっているか否かの情報をバス３０に出力し、この情報は、選択ボタン２２の操作に応じて装置が両面伝送モードになっているか否かを示す情報として用いられる。
【００２８】
符号２５はＬＣＤその他の表示素子から構成された表示回路であり、バス３０を介して、表示データを入力し、表示する。この表示回路２５は、後述の各種のメッセージ表示に用いられる。
【００２９】
符号２６は、マイクロプロセッサなどから成るＣＰＵ（中央処理装置）であり、このファクシミリ装置の全体の制御、および後述のファクシミリ伝送制御を実行する。ＣＰＵ２６の制御プログラムはＲＯＭ２８に格納される。
【００３０】
符号３０は、ＣＰＵ２６のアドレスバス、データバス、その他の制御線などから構成されたバスである。
【００３１】
符号２８は、上記のように、ＣＰＵ２６の制御プログラムを格納するＲＯＭで、本実施形態の場合、このＲＯＭ２８は本発明の記憶媒体に該当する。ＣＰＵ２６はこのＲＯＭ２８の制御プログラムにしたがって周辺の入出力機器を制御し、次に述べる制御を行なう。
【００３２】
本実施形態のファクシミリ装置は、記録紙の表、裏の両面にそれぞれ記録すべき画情報を送受信する、つまり両面伝送を行なうが、その際いわゆる両面連続伝送（ｃｏｎｔｉｎｕｏｕｓ）モードにより画像データを送受信する。
【００３３】
この両面連続伝送モードでは、まず原稿表面の画像を全て読取り、送信し、次に原稿裏面の画像を全て読取り、送信する。たとえば、図８のようにＰ（１）〜Ｐ（３）の３枚の原稿があり、その表面の画像（図８左側）はＰ（１）０、Ｐ（２）０、Ｐ（３）０とし、裏面の画像（図８右側）はＰ（１）１、Ｐ（２）１、Ｐ（３）１とする。ここで、上記のＰの後のカッコ内の数字は枚（ページ）数を、また、カッコの後の数字は０（表）または裏（１）を意味する。
【００３４】
本実施形態においては、両面連続伝送モードを行なうので、画像の読取および伝送順は、
Ｐ（１）０→Ｐ（２）０→Ｐ（３）０
続いて
Ｐ（１）１→Ｐ（２）１→Ｐ（３）１
となる。
【００３５】
本実施形態においては、伝送中に通信エラーが生じた場合には再送信を行なうが、その際、次のような制御を行なう。なお、以下では伝送すべき両面原稿のページ（枚）数がｋ枚（Ｐ（ｋ））、またエラーの起きたページがｎ枚目（Ｐ（ｎ））であるものとして一般化して説明する（図８はｋ＝３、ｎ＝２の場合を示している）。
【００３６】
すなわち、Ｐ（１）からＰ（ｋ）までのｋ枚の両面原稿を両面連続伝送する際、
（イ）表面（図８左側）のＰ（ｎ）０を伝送中にエラーが発生した場合（図８のＡ）は、Ｐ（１）０、つまり表面の第１ページから全て送信する。
【００３７】
（ロ）ページＰ（ｎ）（ｎ≦ｋ）の裏面（図８右側）の伝送中にエラーが発生した場合（図８のＢ）は、そのエラーが起きたページＰ（ｎ）とその後続の表面側の画像Ｐ（ｎ）０〜Ｐ（ｋ）０を全て送信し、続いてその後、エラーが起きたページＰ（ｎ）とその後続の表面側の裏面の画像Ｐ（ｎ）１〜Ｐ（ｋ）１を送信する。
【００３８】
要するに、本実施形態の制御は、両面連続伝送モードにおいて、
（ハ）正しく表裏両面が伝送できたページの次の表面から表面の全部を伝送し、続いて裏面の全部を伝送する
ものである。
【００３９】
つまり、両面連続伝送モードにおいては、まず表面の全部が伝送されるので、上記のイ）のように表面を伝送中にエラーが起きた場合は、裏面は全く送られていないので、表面の第１ページから全て送信するのである。
【００４０】
本実施形態は両面連続伝送を前提としているから、上記の（ハ）は、云いかえれば、
（ニ）裏面の送信が正しく行なわれた次のページの送信原稿の表面から再送信する。
と言ってもよい。
【００４１】
また、本実施形態においては、通信エラーが生じた場合は、表示回路２５を用いて適切な表示を行ないオペレータをガイドする。
【００４２】
次に図２〜７を参照して、上記構成における動作につき説明する。図２〜７は、ＣＰＵ２６が実行する通信制御手順を示したもので、図示の手順はＣＰＵ２６のプログラムとしてＲＯＭ２８に格納される。図２〜７の同一番号の個所はそれぞれの位置で連続しているものとする。
【００４３】
図２において、ステップＳ０は、所定のリセット操作などにより開始される処理の始めを示している。
【００４４】
ステップＳ２では、バス３０を介して両面伝送選択表示回路２４を表示しないようにする。
【００４５】
ステップＳ４では、バス３０を介してＮＣＵ２のＣＭＬをオフとする。これにより回線２ａは電話機４側に接続される。
【００４６】
ステップＳ６では、バス３０を介して、ＡＮＳａｍ送出回路１０がＡＮＳａｍ信号を送信しないように制御する。
【００４７】
ステップＳ８では、送信が選択されたか否かを判断し、送信が選択されるとステップＳ１２に進み、送信が選択されていなければステップＳ１０に進み、その他の処理をする。送信の選択は、不図示の操作部における所定の操作により行なうものとする。
【００４８】
ステップＳ１２では、バス３０を介して両面伝送選択表示回路２４の情報を入力し、選択ボタン２２の操作により両面伝送が選択されているか否かを判断し、選択されていると図４のステップＳ４４に進み、選択されていなければステップＳ１４に進む。
【００４９】
ステップＳ１４では、バス３０を介してＮＣＵ２のＣＭＬをオンとし、回線２ａをファクシミリ装置側に接続する。
【００５０】
ステップＳ１６では、バス３０を介して、発呼回路２０を制御し、指定された宛先へ発呼する。
【００５１】
ステップＳ１８では、ファクシミリ通信前手順を実行する。ここでは、両面伝送が指定されていないので（ステップＳ１２〜Ｓ１４）、受信機に対しては両面伝送を指定せず、また、表面、続いて、裏面を伝送する両面連続伝送は指定しない。これらの伝送機能に関するネゴシエーションは、Ｇ３手順の場合、ＤＩＳ／ＤＣＳ信号、ＮＳＦ／ＮＳＳ信号などにより行なう。
【００５２】
図３のステップＳ２０では、ページカウンタに１をセットする。このページカウンタは、メモリ回路１８の所定領域などに割り付けられる。
【００５３】
ステップＳ２２では、ページカウンタに対応したページ情報の送信、ステップＳ２４では、中間手順を実行する。送信する原稿画像は読取回路１４により順次読み取られる。
【００５４】
ステップＳ２６では、通信エラーが発生したか否かが判断され、発生するとステップＳ３４に進み、発生していなければステップＳ２８に進む。
【００５５】
ステップＳ２８では、次原稿があるか否かを判断し、次原稿があればステップＳ３０に進み、ページカウンタの値を１つインクリメントし、次原稿が無ければステップＳ３２に進みファクシミリ通信後手順を実行する。
【００５６】
一方、通信エラーが生じた場合には、ステップＳ３４においてバス３０を介してＮＣＵ２のＣＭＬをオフとし、回線２ａを電話機４側に接続し、ステップＳ３６において３０秒ウェイトする。
【００５７】
そして、再送信を行なうため、ステップＳ３８において、バス３０を介してＮＣＵ２のＣＭＬをオンとし、ステップＳ４０では、バス３０を介して、先程通信エラーが生じた同じ宛先へ発呼する。
【００５８】
ステップＳ４２ではファクシミリ通信前手順を実行する。ここではページ順の両面伝送（両面交互伝送）は指定せず、当然、両面連続伝送も指定しない。そして、ステップＳ２２に戻り、現在のページカウンタの値から送信を続行する。
【００５９】
一方、ステップＳ１２で両面伝送が指定されている場合は、図４のステップＳ４４においてバス３０を介してＮＣＵ２のＣＭＬをオンとし、回線２ａをファクシミリ装置側に接続する。
【００６０】
ステップＳ４６では、指定された宛先へ発呼し、ステップＳ４８においてファクシミリ通信前手順を実行する。
【００６１】
そして、ステップＳ５０では、ファクシミリ通信前手順の結果から相手機に両面連続受信機能があるか否かを判断し、相手機に両面連続受信機能があればステップＳ５６に進み、相手機に両面連続受信機能が無ければステップＳ５２に進む。
【００６２】
ステップＳ５２では、バス３０を介して、ＮＣＵ２のＣＭＬをオフとし、呼接続を断ち、回線２ａを電話機４側に接続する。
【００６３】
ステップＳ５４では、バス３０を介して、表示回路２５に「相手受信機への両面伝送はできません」と表示する。この表示は何らかのキー操作に応じて消去する。
【００６４】
一方、ステップＳ５６では、残りの前手順を実行する。ここでは、ページ順の両面伝送、すなわち両面交互伝送は指定せず、表面、続いて裏面を送信する両面連続伝送を指定する。
【００６５】
ステップＳ５８では、伝送すべきページを制御するためのレジスタＰＡＧＥＳＥＴに１をセットする。このレジスタＰＡＧＥＳＥＴはメモリ回路１８の所定領域に割り付けられる。
【００６６】
ステップＳ６０では、バス３０を介して、表示回路２５に「表面の（ｎ）ページ目からセットし送信してください」（（ｎ）の位置には現在のレジスタＰＡＧＥＳＥＴの値を挿入する）と表示する。この表示はスタートキーの押下に応じて消去する。
【００６７】
図５のステップＳ６２では、ページカウンタに１をセットする。このページカウンタは、まず表面を伝送する際、表面１面を伝送するごとにカウントアップ（後述のステップＳ７２）され、さらに裏面の伝送に入る際、再度ＰＡＧＥＳＥＴの値に戻され（途中でエラーが無い場合は１に戻されることになる：後述の図６ステップＳ７６の処理）、裏面の伝送（図６）の際、裏面１面を伝送するごとにカウントアップ（後述のステップＳ８６）される。
【００６８】
ステップＳ６４では、ページカウンタの値に相当するページ表面のページ情報の送信を実行する。ここでは、読取回路１４により原稿情報を読み取り、メモリ回路１８の画像メモリ領域に格納するが、いったん格納した情報はメモリに空きがなくなるまで記憶し、画像メモリ領域に空きがなくなると、古いデータから消去していくものとする。
【００６９】
ステップＳ６６ではファクシミリ中間手順を実行する。
【００７０】
ステップＳ６８では、通信エラーが発生したか否かを判断し、通信エラーが発生した場合にはステップＳ１０６（図７）に進み、発生していなければステップＳ７０に進む。
【００７１】
ステップＳ７０では、次原稿があるか否かを判断され、次原稿があればステップＳ７２に進み、ページカウンタの値を１つインクリメントし、次原稿が無ければステップＳ７４に進む。
【００７２】
ステップＳ７４では、バス３０を介して、表示回路２５に「裏面の（ｎ）ページ目からセットし送信してください」（（ｎ）の位置にはレジスタＰＡＧＥＳＥＴの値を挿入する）と表示する。この表示はスタートキーの押下等により消去する。
【００７３】
図６のステップＳ７６では、裏面の伝送に入る。このステップＳ７６では、ページカウンタにレジスタＰＡＧＥＳＥＴの値をセットする。ここでは、今までの表面の伝送では、途中でエラーが無ければレジスタＰＡＧＥＳＥＴは変更されておらず、再度１に戻される。
【００７４】
ステップＳ７８は、ページカウンタのページ情報の送信（裏面）を実行する。ここでは、前記同様、原稿情報を読み取り、メモリ回路１８の画像メモリ領域に格納した情報は該領域に空きがなくなるまで記憶し、空きがなくなると、古いデータから消去していく。
【００７５】
ステップＳ８０では、中間手順を実行する。
【００７６】
ステップＳ８２では、通信エラーが発生したか否かを判断し、通信エラーが発生した場合にはステップＳ９０に進み、発生していなければステップＳ８４に進む。
【００７７】
ステップＳ８４では、次原稿があるか否かを判断し、次原稿があればステップＳ８６に進み、ページカウンタの値を１つインクリメントし、次原稿がなければステップＳ８８に進みファクシミリ通信後手順を実行する。
【００７８】
裏面の伝送中通信エラーが生じた場合には、ステップＳ９０において、バス３０を介して、ＮＣＵ２のＣＭＬをオフとし、呼接続を断ち回線２ａを電話機４側に接続する。
【００７９】
ステップＳ９２では３０秒ウェイトし、ステップＳ９４では、バス３０を介して、ＮＣＵ２のＣＭＬをオンとし、ステップＳ９６においてバス３０を介して、発呼回路２０を用いて、同一宛先へ発呼する。
【００８０】
ステップＳ９８では、再送信のためにファクシミリ通信前手順を実行する。もちろんここでは、両面伝送を指定するが、両面交互伝送ではなく、両面連続伝送を指定する。
【００８１】
ステップＳ１００では、表面のページカウンタに相当するページの画情報がまだメモリ回路１８に格納されているか否かを判定する。
【００８２】
ステップＳ１００が肯定された場合にはステップＳ１０２に進み、レジスタＰＡＧＥＳＥＴにページカウンタの値をセットし、ステップＳ６２に戻る。また、ステップＳ１００が否定された場合にはステップＳ１０４に進み、レジスタＰＡＧＥＳＥＴにページカウンタの値をセットし、図４のステップＳ６０に戻る。
【００８３】
つまり、再送信を開始すべきページのデータがメモリ回路１８に残っていればステップＳ６２で、レジスタＰＡＧＥＳＥＴからページカウンタの値が書き戻される。たとえば、２ページ目の裏面でエラーが起きた場合は、ページカウンタの値は２であり、一旦レジスタＰＡＧＥＳＥＴを経由してステップＳ６２で再度ページカウンタの値に戻される。つまり、２ページからその後の表面が全て送信され、続いて再度ステップＳ７６でレジスタＰＡＧＥＳＥＴからページカウンタへ２がコピーされ、今度は２ページからその後の裏面が全て送信される。
【００８４】
また、再送信を開始すべきページのデータがメモリ回路１８に残っていなければ、ステップＳ１０４で同様に現在のページカウンタの値をレジスタＰＡＧＥＳＥＴにコピーしてから図４のステップＳ６０に戻り、当該ページの原稿表面の読取から再度実行する。
【００８５】
一方、表面の伝送でエラーが起きた場合（ステップＳ６８）には図７のステップＳ１０６に進み、バス３０を介して、ＮＣＵ２のＣＭＬをオフとし、回線接続を断ち、ステップＳ１０８で３０秒ウェイトした後ステップＳ１１０では、バス３０を介して、ＮＣＵ２のＣＭＬをオンし、さらにステップＳ１１２においてバス３０を介して、発呼回路２０を制御して同一宛先へ発呼する。
【００８６】
ここでは表面の伝送でエラーが起きているので、以後、表面の第１ページから再送信を行なう。両面連続伝送では、表面の伝送でエラー中断が起きた場合には裏面が全く送信されておらず、受信側は表裏両面が揃っているページを１枚も受信していないためである。
【００８７】
まず、ステップＳ１１４は、ファクシミリ通信前手順を実行する。ここでは、両面伝送を指定するが、両面交互伝送ではなく、両面連続伝送を指定する。
【００８８】
ステップＳ１１６では、表面の１ページ目の情報がメモリ回路１８に格納されているか否かを判定する。ステップＳ１１６が肯定された場合にはステップＳ１１８に進みレジスタＰＡＧＥＳＥＴに１をセットしてステップＳ６２に戻り、１ページ目から表面の伝送を再度行なう。ステップＳ１１６が否定された場合（表面の１ページ目の情報がメモリ回路１８に格納されていない場合）にはそのままステップＳ５８に進み、１ページ目の表面の読取りから再度実行する。
【００８９】
以上のように、本実施形態によれば、両面原稿のまず表面の画像を全て送信し続いて裏面の画像を全て送信するいわゆる両面連続（ｃｏｎｔｉｎｕｏｕｓ）伝送において、Ｐ（１）からＰ（ｋ）までのｋ枚の両面原稿を両面連続伝送する際、
（イ）表面（図８左側）のＰ（ｎ）０を伝送中にエラーが発生した場合（図８のＡ）は、Ｐ（１）０、つまり表面の第１ページから全て送信する。
【００９０】
（ロ）ページＰ（ｎ）（ｎ≦ｋ）の裏面（図８右側）の伝送中にエラーが発生した場合（図８のＢ）は、そのエラーが起きたページＰ（ｎ）とその後続の表面側の画像Ｐ（ｎ）０〜Ｐ（ｋ）０を全て送信し、続いてその後、エラーが起きたページＰ（ｎ）とその後続の表面側の裏面の画像Ｐ（ｎ）１〜Ｐ（ｋ）１を送信する。
処理が可能となり、これにより、
（ハ）正しく表裏両面が伝送できたページの次の表面から表面の全部を伝送し、続いて裏面の全部を伝送する
あるいは、
（ニ）裏面の送信が正しく行なわれた次のページの送信原稿の表面から再送信する
ことができる。
【００９１】
したがって、受信側で表裏の画像が全て揃っていないページと、その後続のページを再送信することができる。たとえば、もし、受信機側が受信した各面を逐次プリントしているとすれば、プリントの完全に終了していない原稿情報から再送信することができ、受信側で確実に両面情報を再生することができる。
【００９２】
また、上記実施形態によれば、オペレータに適切なガイド表示を行なうことができる。たとえば、表面ないし裏面の全部の伝送にそれぞれ先立つ読取りにおいては（通信エラー発生時も含む）「（ｎ）ページ」の表面ないし裏面から原稿をセットすることが、それぞれ表示される。つまり、エラー再送信の条件、および画像データの格納状態に応じて、オペレータに適切な操作を促すガイド表示を行なうことができ、誤まったページが送信されてしまう可能性を低減することができる。
【００９３】
特に、上記のガイド表示は、エラーが発生して再送信が必要になった時に既に再送信を開始すべきページの画像がメモリに格納されていなければ再度そのページからの読取のための原稿装填操作を促すべく上記の「（ｎ）ページ」の部分が上記のエラー再送信の条件に応じて、必要な該当ページ数に置き換えられる（たとえばステップＳ６０）。このため、適切な指示をオペレータに対して行なうことができ、誤まったページが送信されてしまう可能性を低減することができる。
【００９４】
もちろん、上述のような通信エラー時の再送信を行なうか否かは、片面伝送の従来技術同様に、メモリスイッチなどの設定に応じて実行するか否かをユーザが自由に設定できるようにしておく構成も考えられる。
【００９５】
なお、以上の各実施形態では、ファクシミリ専用機の構成を示したが、本発明はファクシミリ専用機のみならず、他の形態のファクシミリ通信プロトコルを用いる通信装置に実施できるのはいうまでもない。たとえば、本発明は、パーソナルコンピュータのような汎用の端末に（ＦＡＸ）モデムやターミナルアダプタなどを外付け／内蔵し、ソフトウェア制御によりファクシミリ通信プロトコルを用いて通信を行なう構成などにおいて実施することができる。また、本発明の制御プログラムは、前述のメモリ回路１８のみならず、ハードディスク、フロッピーディスク、光ディスク、光磁気ディスクやメモリカードなどのあらゆるコンピュータ読み取り可能な記録媒体に格納して供給することができる。
【００９６】
【発明の効果】
以上から明らかなように本発明によれば、記録紙の表、裏の両面にそれぞれ記録すべき画情報を送信する場合、まず表面の画像全部を送信し、続いて裏面の画像全部を送信する両面連続伝送を行なうファクシミリ装置、その制御方法、およびその制御プログラムを格納したコンピュータ読取可能な記憶媒体において、両面連続伝送実行中に通信エラーが発生した場合、裏面の送信が正しく行なわれた次のページの送信原稿の表面から再送信する構成を採用しているので、受信側で表裏の画像が全て揃っていないページと、その後続のページを再送信することができる。たとえば、もし、受信機側が受信した各面を逐次プリントしているとすれば、プリントの完全に終了していない原稿情報から再送信することができ、受信側で確実に両面情報を再生することができる。
【００９７】
また、特にＰ（１）からＰ（ｋ）までのｋ枚の両面原稿を両面連続伝送する際、表面のＰ（ｎ）０を伝送中にエラーが発生した場合は、Ｐ（１）０、つまり表面の第１ページから全て送信し、ページＰ（ｎ）（ｎ≦ｋ）の裏面の伝送中にエラーが発生した場合は、そのエラーが起きたページＰ（ｎ）とその後続の表面側の画像Ｐ（ｎ）０〜Ｐ（ｋ）０を全て送信し、続いてその後、エラーが起きたページＰ（ｎ）とその後続の表面側の裏面の画像Ｐ（ｎ）１〜Ｐ（ｋ）１を送信する構成とすることにより、受信側で確実に両面情報を再生することができる。
【００９８】
あるいはさらに、両面連続伝送の際、伝送すべき原稿画像を読取回路により送信画像を読取り、読取った画像データを画像メモリに格納しつつ両面連続伝送を行ない、前記画像メモリ中の古い画像データから順次消去し、通信エラーが発生した場合、再送信すべき情報が、前記画像メモリに格納されていなければ、その原稿情報から再セットして送信することをオペレータに指示する構成を採用すれば、エラー再送信の条件、および画像データの格納状態に応じて、オペレータに適切な操作を促すガイド表示を行なうことができ、誤まったページが送信されてしまう可能性を低減することができる。
【００９９】
また、特に、Ｐ（１）からＰ（ｋ）までのｋ枚の両面原稿を両面連続伝送する際、送信原稿の表面のページＰ（ｎ）０を送信中に通信エラーが発生した場合は、「この原稿の表面の１ページから送信し、続いて裏面の１ページ目から送信してください」と表示し、また、送信原稿の裏面Ｐ（ｎ）１を送信中の通信エラー時は、「この原稿の表面の（ｎ）ページから送信し、続いて裏面の（ｎ）ページ目から送信してください」と表示する構成を採用することにより、エラー再送信の条件に応じて、必要な該当ページ数を用いてオペレータに適切なガイド表示を行なうことができ、誤まったページが送信されてしまう可能性を低減することができる。
【図面の簡単な説明】
【図１】本発明を採用したファクシミリ装置の構成を示したブロック図である。
【図２】図１のＣＰＵ２６の通信制御を示したフローチャート図である。
【図３】図１のＣＰＵ２６の通信制御を示したフローチャート図である。
【図４】図１のＣＰＵ２６の通信制御を示したフローチャート図である。
【図５】図１のＣＰＵ２６の通信制御を示したフローチャート図である。
【図６】図１のＣＰＵ２６の通信制御を示したフローチャート図である。
【図７】図１のＣＰＵ２６の通信制御を示したフローチャート図である。
【図８】本発明における両面連続伝送の様子を示した説明図である。
【符号の説明】
２  ＮＣＵ
４  電話機
６  ハイブリッド回路
８  変復調器
１０  ＡＮＳａｍ送出回路
１２  加算回路
１４  読取回路
１６  記録回路
１８  メモリ回路
２０  発呼回路
２２  選択ボタン
２４  表示回路
２５  表示回路
２６  ＣＰＵ
２８  ＲＯＭ
３０  バス
【図１】
0003787475.tif 000002
【図２】
0003787475.tif 000003
【図３】
0003787475.tif 000004
【図４】
0003787475.tif 000005
【図５】
0003787475.tif 000006
【図６】
0003787475.tif 000007
【図７】
0003787475.tif 000008
【図８】
0003787475.tif 000009